【手続補正書】
【提出日】平成27年6月12日(2015.6.12)
【手続補正１】
【補正対象書類名】特許請求の範囲
【補正対象項目名】全文
【補正方法】変更
【補正の内容】
【特許請求の範囲】
【請求項１】
第１の凸状近位面および第１の凹状遠位面を有する第１のレンズ要素であって、前記第１の凸面の直径は、前記第１の凹面の直径よりも大きい、第１のレンズ要素と、
実質的に平坦な第２の近位面および第２の凸状遠位面を有する第２のレンズ要素であって、前記平坦な第２の近位面の直径は、前記第２の凸面の直径よりも小さく、前記第２の凸面の直径は、前記第１の凸面の直径および前記第１の凹面の直径の中間である、第２のレンズ要素と
を備え、前記第１および第２のレンズ要素は、その遠位端に位置付けられた撮像装置との光学的整合で連続的に配列される、
アレイカメラ用の３面光学配列。
【請求項２】
前記第１の要素の表面は、第１の基材によって分離され、前記第２の要素の表面は、第２の基材によって分離される、配列、
前記第１の要素の表面は、第１の基材によって分離され、前記第２の要素の表面は、第２の基材によって分離され、前記平坦な第２の近位面は、前記第２の基材によって形成される、配列、
前記第１の要素の表面は、第１の基材によって分離され、前記第２の要素の表面は、第２の基材によって分離され、前記第１または第２の基材のうちの少なくとも１つの上に配置された少なくとも１つの開口をさらに備える、配列、
前記第１の要素の表面は、第１の基材によって分離され、前記第２の要素の表面は、第２の基材によって分離され、前記第１または第２の基材のうちの少なくとも１つの上に配置されたフィルタをさらに備える配列、および
前記第１の要素の表面は、第１の基材によって分離され、前記第２の要素の表面は、第２の基材によって分離され、前記第１または第２の基材のうちの少なくとも１つの上に配置されたフィルタをさらに備え、前記凸面は、王冠状材料から形成され、前記凹面は、フリント状材料から形成される、配列
のうちの１つを備える、請求項１に記載の３面光学配列。
【請求項３】
前記平坦な第２の近位面上に配置された開口絞りをさらに備える配列、
前記第１および第２のレンズ要素の間に配置された開口構造をさらに備え、前記開口構造は、その上に配置された少なくとも１つの開口を有する少なくとも１つの開口基材を備える、配列、
前記第１および第２のレンズ要素、ならびに前記第２のレンズ要素および前記撮像装置は、スペーサによって分離される、配列、
前記レンズ要素の前記表面のうちの少なくとも２つは、異なるアッベ数を有する材料から形成される、配列、および
アレイが、選択された波長帯域を撮像するように設計され、各光学配列内のレンズ表面のうちの少なくとも１つの外形は、前記アレイ内の前記複数の配列が、組み合わせにおいて、前記選択された波長帯域の全体を撮像するように、前記選択された波長帯域の狭帯域部分のみを最適に撮像するように適合される、配列
のうちの１つを備える、請求項１に記載の３面光学配列。
【請求項４】
第１の凸状近位面および第１の凹状遠位面を有する第１のレンズ要素であって、前記第１の凸面の直径は、前記第１の凹面の直径よりも大きい、第１のレンズ要素と、
第２の凹状近位面および第２の凸状遠位面を有する第２のレンズ要素であって、前記第２の凹状近位面の直径は、前記第２の凸面の直径よりも小さい、第２のレンズ要素と、
第３の凹状近位面および第３の平面的遠位面を有する第３のレンズ要素であって、前記第３の凹状近位面の直径は、前記第１および第２のレンズ要素の表面のうちのいずれかの直径よりも大きい、第３のレンズ要素と
を備え、前記第１、第２、および第３のレンズ要素は、その遠位端に位置付けられた撮像装置との光学的整合で連続的に配列される、
アレイカメラ用の５面光学配列。
【請求項５】
前記第１の要素の表面は、第１の基材によって分離され、前記第２の要素の表面は、第２の基材によって分離される、配列、
前記第３の平面的遠位面は、画像センサ、または前記画像センサを覆って配置されたカバーガラスのうちのいずれか一方と接触している、配列、
前記第１の凹状遠位面の上に配置された開口絞りをさらに備える配列、
前記第１の凹状遠位面の上に配置された開口絞りと、前記第１の凹状遠位面に隣接する前記第１の基材の上に配置された開口絞りとをさらに備える配列、
前記第１のレンズ要素内に配置された少なくとも１つの開口をさらに備える配列、
前記レンズ要素のうちの少なくとも２つの間に配置された開口構造をさらに備え、前記開口構造は、その上に配置された少なくとも１つの開口を有する少なくとも１つの開口基材を備える、配列、
前記第１のレンズ要素および前記第２のレンズ要素、ならびに前記第２のレンズ要素および前記第３のレンズ要素は、スペーサによって分離される、配列、
前記第１および第２のレンズ要素のうちの少なくとも１つの中に配置されたフィルタをさらに備える配列、
前記レンズ要素の前記表面のうちの少なくとも２つは、異なるアッベ数を有する材料から形成される、配列、
前記レンズ要素の前記表面のうちの少なくとも２つは、異なるアッベ数を有する材料から形成され、前記凸面は、王冠状材料から形成され、前記凹面は、フリント状材料から形成される、配列、および
前記第３のレンズ要素と前記画像センサとの間に空隙をさらに備える配列
のうちの１つを備える、請求項４に記載の５面光学配列。
【請求項６】
少なくとも１つの基材であって、前記少なくとも１つの基材は、前記レンズ要素のうちの少なくとも１つの前記表面の間に配置される、少なくとも１つの基材と、
前記第３のレンズ要素と前記撮像装置との間に配置された基材をさらに備える配列、
前記レンズ要素内の少なくとも１つの基材上に配置された少なくとも１つの開口をさらに備える配列、および
前記レンズ要素内の少なくとも１つの基材上に配置された少なくとも１つの開口をさらに備え、前記少なくとも１つの開口は、前記第１のレンズ要素内に埋め込まれる、配列
のうちの１つとをさらに備える、請求項４に記載の５面光学配列。
【請求項７】
請求項４に記載の複数の５面光学配列を備えるアレイであって、前記アレイは、選択された波長帯域を撮像するように設計され、各光学配列内のレンズ表面のうちの少なくとも１つの外形は、前記アレイ内の前記複数の配列が、組み合わせにおいて、前記選択された波長帯域の全体を撮像するように、前記選択された波長の狭帯域部分のみを最適に撮像するように適合される、アレイ。
【請求項８】
近位および遠位側を有する基材と、
前記基材の前記近位側に配置された、第１の近位および遠位面を有する第１のモノリシックレンズ要素と、
前記基材の前記遠位側に配置された、第２の近位および遠位面を有する第２のモノリシックレンズ要素と、
前記第１および第２のレンズ要素との光学的整合で前記基材上に配置された少なくとも１つの開口と
を備え、前記第１および第２のレンズ要素は、その遠位端に位置付けられた撮像装置との光学的整合で連続的に配列される、
アレイカメラ用の基材埋込型ハイブリッドレンズ光学配列。
【請求項９】
請求項８に記載の複数の基材埋込型ハイブリッドレンズ光学配列を備えるウエハスタックであって、
前記配列の要素から形成された複数のウエハ表面と、
各ウエハ表面に関して形成された少なくとも２つの整合マークであって、前記整合マークのそれぞれは、前記整合マークが、協調的に整合させられたときに、対応する開口とのレンズ表面の横方向整合および回転整合を補助するように、隣接ウエハ表面上の整合マークと協働する、整合マークと
をさらに備える、ウエハスタック。
【請求項１０】
少なくとも２つの軸方向に整合した開口が、前記基材の上に配置される、配列、
少なくとも２つの軸方向に整合した開口が、前記基材の上に配置され、前記少なくとも２つの軸方向に整合した開口は、同一または異なるサイズのいずれか一方である、配列、
前記少なくとも１つの開口との光学的整合で前記基材の上に配置された少なくとも１つの被覆をさらに備える配列、
前記少なくとも１つの開口との光学的整合で前記基材の上に配置された少なくとも１つの被覆をさらに備え、前記少なくとも１つの被覆は、偏光フィルタ、色フィルタ、ＩＲＣＦフィルタ、およびＮＩＲ通過フィルタから成る群より選択される、配列、
前記基材は、偏光フィルタ、色フィルタ、ＩＲＣＦフィルタ、およびＮＩＲ通過フィルタから成る群より選択されるフィルタの役割を果たす材料から形成される、配列、
前記基材はさらに、適応光学要素を備える、配列、
前記レンズ要素のうちの少なくとも２つは、異なるアッベ数を有する材料から形成される、配列、および
アレイが、選択された波長帯域を撮像するように設計され、各光学配列内のレンズ表面のうちの少なくとも１つのレンズ表面の外形は、前記アレイ内の前記複数の配列が、組み合わせにおいて、前記選択された波長帯域の全体を撮像するように、前記選択された波長の狭帯域部分のみを最適に撮像するように適合される、配列
のうちの１つを備える、請求項８に記載の基材埋込型ハイブリッドレンズ光学配列。
【請求項１１】
第１の近位および遠位面を有する第１のモノリシックレンズであって、前記第１のモノリシックレンズの前記第１の近位面は、凹状または凸状外形のうちのいずれか一方を有し、前記第１のモノリシックレンズの前記第１の遠位面は、平面外形を有する、第１のモノリシックレンズと、
前記第１のモノリシックレンズの前記第１の遠位面の上に配置され、それと光学的に整合している、少なくとも１つの開口と、
第２の近位および遠位面を有する第２のモノリシックレンズであって、前記第２のモノリシックレンズの前記第２の近位面は、平面外形を有し、前記第２のモノリシックレンズの前記第２の遠位面は、凹状または凸状外形のうちのいずれか一方を有し、前記第２のモノリシックレンズは、前記開口との光学的整合で配列される、第２のモノリシックレンズと
を備える、少なくとも１つのレンズ要素を備え、
前記第１のモノリシックレンズ要素は、前記開口および前記第２のモノリシックレンズと直接接触している、
アレイカメラ用のモノリシックレンズ光学配列。
【請求項１２】
前記少なくとも１つの開口との光学的整合で前記平面上に配置される少なくとも１つのフィルタをさらに備える配列、
前記モノリシックレンズは、異なるアッベ数を有する材料から形成される、配列、および
少なくとも２つのレンズ要素をさらに備える配列
のうちの１つを備える、請求項１１に記載のモノリシックレンズ光学配列。
【請求項１３】
請求項１１に記載の複数のモノリシック光学配列を備えるアレイであって、前記アレイは、選択された波長帯域を撮像するように設計され、各光学配列内のレンズ表面のうちの少なくとも１つの外形は、前記アレイ内の前記複数の配列が、組み合わせにおいて、前記選択された波長帯域の全体を撮像するように、前記選択された波長の狭帯域部分のみを最適に撮像するように適合される、アレイ。
【請求項１４】
請求項１１に記載の複数のモノリシックレンズ光学配列を備えるウエハスタックであって、
前記配列の要素から形成された複数のウエハ表面と、
各ウエハ表面に関して形成された少なくとも２つの整合マークであって、前記整合マークのそれぞれは、前記整合マークが、協調的に整合させられたときに、対応する開口との前記レンズ表面の横方向整合および回転整合を補助するように、隣接ウエハ表面上の整合マークと協働する、整合マークと
をさらに備える、ウエハスタック。
【請求項１５】
第１の凸状近位面および第１の平遠位面を有する第１のレンズ要素と、
第２の凹状近位面および第２の凸状遠位面を有する第２のレンズ要素と、
第３の凹状近位面および第３の凸状遠位面を有する第３のメニスカスレンズ要素と、
前記第１の平遠位面上に配置された少なくとも１つの開口と
を備え、前記第１、第２、および第３のレンズ要素は、開口絞りおよび撮像装置との光学的整合で連続的に配列される、
アレイカメラ用の３要素モノリシックレンズ光学配列。
【請求項１６】
前記第１および第２のレンズ要素は、低分散材料から形成され、前記第３のレンズ要素は、高分散材料から形成される、配列、
前記第１のレンズ要素との光学的整合で前記第１の平遠位面上に配置された少なくとも１つのフィルタをさらに備える配列、
前記第１のレンズ要素はさらに、その遠位面上に配置された基材を備える、配列、
前記第１のレンズ要素はさらに、その遠位面上に配置された基材を備え、前記基材の前記遠位面上に配置された少なくとも１つの開口をさらに備える配列、
前記第１のレンズ要素はさらに、その遠位面上に配置された基材を備え、前記基材の前記遠位面上に配置された少なくとも１つのフィルタをさらに備える配列、
前記第２のレンズ要素はさらに、その近位面と遠位面との間に配置された基材を備える、配列、および
アレイが、選択された波長帯域を撮像するように設計され、各光学配列内のレンズ表面のうちの少なくとも１つの外形は、前記アレイ内の前記複数の配列が、組み合わせにおいて、前記選択された波長帯域の全体を撮像するように、前記選択された波長の狭帯域部分のみを最適に撮像するように適合される、配列
のうちの１つを備える、請求項１５に記載の３要素モノリシックレンズ光学配列。
【請求項１７】
複数のレンズ要素アレイから形成されたレンズ要素アレイスタックであって、前記レンズ要素アレイのそれぞれは、相互とおよび対応する撮像装置と光学的に整合している、レンズ要素アレイスタックを備え、
前記レンズ要素スタックのそれぞれの個々のレンズ要素のそれぞれは、高または低アッベ数材料のうちのいずれか一方から形成され、高または低アッベ数材料のうちのいずれか一方が任意の個々のレンズ要素スタックで使用される順序は、前記レンズ要素スタックに関係する前記撮像装置によって検出されるスペクトル帯域に依存する、
アレイカメラ用の複数の光学配列。
【請求項１８】
複数のレンズ要素アレイから形成されたレンズ要素アレイスタックであって、前記レンズ要素アレイのそれぞれは、複数のレンズ要素で形成される、レンズ要素アレイスタックと、
前記レンズ要素アレイのそれぞれに組み込まれた複数の構造特徴と
を備え、前記構造特徴は、少なくとも１つの寸法において、前記レンズ要素アレイスタック内で相互に関して前記レンズ要素アレイの整合を確保する、
アレイカメラ用の複数の光学配列。
【請求項１９】
前記構造特徴は、横方向および回転整合特徴、スペーサ、およびスタンドオフから成る群より選択される、請求項１８に記載の複数の光学配列。
【請求項２０】
複数の光学チャネルを有するアレイにおいて系統的加工誤差を補償する方法であって、
前記アレイの前記光学チャネルのチャネル方向の色収差補正のみに使用される、波長板または多重レベル回折相要素のうちのいずれか一方の公称形状を組み込む設計を準備することと、
前記設計に基づいてアレイレンズモジュールを加工することと、
レンズの計量、中心化、距離、および光学性能から成る群より選択される少なくとも１つのパラメータに基づいて、前記設計からの前記レンズモジュールの系統的偏差を実験的に判定することと、
前記実験の結果に基づいて、前記レンズモジュールのチャネル方向の色収差補正面のみを再設計することと、
前記再設計に基づいて、前記レンズモジュールを再加工することと、
前記レンズモジュールの背面焦点距離を使用して、残っている前記系統的偏差のうちのいずれかを補償することと
を含む、方法。
【請求項２１】
複数の光学チャネルを備える光学配列であって、各光学チャネルは、少なくとも２つの光学面を備える少なくとも１つの光学要素を含み、前記複数の光学チャネルのそれぞれの前記光学面のうちの１つは、前記光学チャネルを選択された光の波長に適合させるためだけに十分な波面変形を有する、チャネル特有の表面である、光学配列。
【請求項２２】
前記チャネル特有の表面は、波長板、キノフォーム、および放射対称多重レベル回折相要素から成る群より選択される、請求項２１に記載の光学配列。
【手続補正２】
【補正対象書類名】明細書
【補正対象項目名】００２７
【補正方法】変更
【補正の内容】
【００２７】
本明細書で説明される特徴および利点は、包括的ではなく、具体的には、図面、明細書、および請求項を考慮すると、多くの付加的な特徴および利点が、当業者に明白となるであろう。また、本明細書で使用される用語は、基本的に読みやすさおよび指導目的のために選択されており、本主題を線引きするか、または限局するように選択されていない場合があることに留意されたい。
本発明は、例えば、以下を提供する。
（項目１）
第１の凸状近位面および第１の凹状遠位面を有する、第１のレンズ要素であって、前記第１の凸面の直径は、前記第１の凹面の直径よりも大きい、第１のレンズ要素と、
実質的に平坦な第２の近位面および第２の凸状遠位面を有する、第２のレンズ要素であって、前記平坦な第２の近位面の直径は、前記第２の凸面の直径よりも小さく、前記第２の凸面の直径は、前記第１の凸面および前記第１の凹面の直径の中間である、第２のレンズ要素と、
を備え、前記第１および第２のレンズ要素は、その遠位端に位置付けられた撮像装置との光学的整合で連続的に配列される、
アレイカメラ用の３面光学配列。
（項目２）
前記第１の要素の表面は、第１の基材によって分離され、前記第２の要素の表面は、第２の基材によって分離される、項目１に記載の３面光学配列。
（項目３）
前記平坦な第２の近位面は、前記第２の基材によって形成される、項目２に記載の３面光学配列。
（項目４）
前記平坦な第２の近位面上に配置される開口絞りをさらに備える、項目１に記載の３面光学配列。
（項目５）
前記第１または第２の基材のうちの少なくとも１つの上に配置される少なくとも１つの開口をさらに備える、項目２に記載の３面光学配列。
（項目６）
前記第１および第２のレンズ要素の間に配置される開口構造をさらに備え、前記開口構造は、その上に配置された少なくとも１つの開口を有する、少なくとも１つの開口基材を備える、項目１に記載の３面光学配列。
（項目７）
前記第１および第２のレンズ要素、ならびに前記第２のレンズ要素および前記撮像装置は、スペーサによって分離される、項目１に記載の３面光学配列。
（項目８）
前記第１または第２の基材のうちの少なくとも１つの上に配置されるフィルタをさらに備える、項目２に記載の３面光学配列。
（項目９）
前記レンズ要素の前記表面のうちの少なくとも２つは、異なるアッベ数を有する材料から形成される、項目１に記載の３面光学配列。
（項目１０）
前記凸面は、王冠状材料から形成され、前記凹面は、フリント状材料から形成される、項目８に記載の３面光学配列。
（項目１１）
項目１に記載の複数の３面光学配列を備える、アレイであって、前記アレイは、選択された波長帯域を撮像するように設計され、各光学配列内のレンズ表面のうちの少なくとも１つの外形は、組み合わせて、前記アレイ内の前記複数の配列が、前記選択された波長帯域の全体を撮像するように、前記選択された波長帯域の狭帯域部分のみを光学的に撮像するように適合される、アレイ。
（項目１２）
第１の凸状近位面および第１の凹状遠位面を有する、第１のレンズ要素であって、前記第１の凸面の直径は、前記第１の凹面の直径よりも大きい、第１のレンズ要素と、
第２の凹状近位面および第２の凸状遠位面を有する、第２のレンズ要素であって、前記第２の凹状近位面の直径は、前記第２の凸面の直径よりも小さい、第２のレンズ要素と、
第３の凹状近位面および第３の平面的遠位面を有する、第３のレンズ要素であって、前記第３の凹状近位面の直径は、前記第１および第２のレンズ要素の表面のうちのいずれかの直径よりも大きい、第３のレンズ要素と、
を備え、前記第１、第２、および第３のレンズ要素は、その遠位端に位置付けられた撮像装置との光学的整合で連続的に配列される、
アレイカメラ用の５面光学配列。
（項目１３）
前記第１の要素の表面は、第１の基材によって分離され、前記第２の要素の表面は、第２の基材によって分離される、項目１２に記載の５面光学配列。
（項目１４）
前記第３の平面的遠位面は、画像センサ、または前記画像センサを覆って配置されるカバーガラスのうちのいずれか一方と接触している、項目１２に記載の５面光学配列。
（項目１５）
前記第１の凹状遠位面の上に配置される開口絞りをさらに備える、項目１２に記載の５面光学配列。
（項目１６）
前記第１の凹状遠位面に隣接する前記第１の基材の上に配置される開口絞りをさらに備える、項目１３に記載の５面光学配列。
（項目１７）
前記第１のレンズ要素内に配置される少なくとも１つの開口をさらに備える、項目１２に記載の５面光学配列。
（項目１８）
前記レンズ要素のうちの少なくとも２つの間に配置される開口構造をさらに備え、前記開口構造は、その上に配置された少なくとも１つの開口を有する、少なくとも１つの開口基材を備える、項目１２に記載の５面光学配列。
（項目１９）
前記第１および第２のレンズ要素、ならびに前記第２のレンズ要素および前記第３のレンズ要素は、スペーサによって分離される、項目１２に記載の５面光学配列。
（項目２０）
前記第１および第２のレンズ要素のうちの少なくとも１つの中に配置されるフィルタをさらに備える、項目１２に記載の５面光学配列。
（項目２１）
前記レンズ要素の前記表面のうちの少なくとも２つは、異なるアッベ数を有する材料から形成される、項目１２に記載の５面光学配列。
（項目２２）
前記凸面は、王冠状材料から形成され、前記凹面は、フリント状材料から形成される、項目２１に記載の５面光学配列。
（項目２３）
前記第３のレンズ要素と前記画像センサとの間に空隙をさらに備える、項目１２に記載の５面光学配列。
（項目２４）
少なくとも１つの基材をさらに備え、前記少なくとも１つの基材は、前記レンズ要素のうちの少なくとも１つの前記表面の間に配置される、項目１２に記載の５面光学配列。
（項目２５）
前記第３のレンズ要素と前記撮像装置との間に配置される基材をさらに備える、項目２４に記載の５面光学配列。
（項目２６）
前記レンズ要素内の少なくとも１つの基材上に配置される少なくとも１つの開口をさらに備える、項目２４に記載の５面光学配列。
（項目２７）
前記少なくとも１つの開口は、前記第１のレンズ要素内に埋め込まれる、項目２６に記載の５面光学配列。
（項目２８）
項目１２に記載の複数の５面光学配列を備える、アレイであって、前記アレイは、選択された波長帯域を撮像するように設計され、各光学配列内のレンズ表面のうちの少なくとも１つの外形は、組み合わせて、前記アレイ内の前記複数の配列が、前記選択された波長帯域の全体を撮像するように、前記選択された波長の狭帯域部分のみを光学的に撮像するように適合される、アレイ。
（項目２９）
近位および遠位側を有する基材と、
前記基材の前記近位側に配置される第１の近位および遠位面を有する、第１のモノリシックレンズ要素と、
前記基材の前記遠位側に配置される第２の近位および遠位面を有する、第２のモノリシックレンズ要素と、
前記第１および第２のレンズ要素との光学的整合で前記基材上に配置される、少なくとも１つの開口と、
を備え、前記第１および第２のレンズ要素は、その遠位端に位置付けられた撮像装置との光学的整合で連続的に配列される、
アレイカメラ用の基材埋込型ハイブリッドレンズ光学配列。
（項目３０）
項目２９に記載の複数の基材埋込型ハイブリッドレンズ光学配列を備える、ウエハスタックであって、
前記配列の要素から形成される複数のウエハ表面と、
各ウエハ表面に関して形成される、少なくとも２つの整合マークであって、前記整合マークのそれぞれは、前記整合マークが、協調的に整合させられたときに、対応する開口とのレンズ表面の横方向および回転整合を補助するように、隣接ウエハ表面上の整合マークと協働する、整合マークと、
をさらに備える、ウエハスタック。
（項目３１）
少なくとも２つの軸方向に整合した開口が、前記基材の上に配置される、項目２９に記載の基材埋込型ハイブリッドレンズ光学配列。
（項目３２）
前記少なくとも２つの軸方向に整合した開口は、同一または異なるサイズのいずれか一方である、項目３１に記載の基材埋込型ハイブリッドレンズ光学配列。
（項目３３）
前記少なくとも１つの開口との光学的整合で前記基材の上に配置される少なくとも１つの被覆をさらに備える、項目２９に記載の基材埋込型ハイブリッドレンズ光学配列。
（項目３４）
前記少なくとも１つの被覆は、偏光フィルタ、色フィルタ、ＩＲＣＦフィルタ、およびＮＩＲ通過フィルタから成る群より選択される、項目３３に記載の基材埋込型ハイブリッドレンズ光学配列。
（項目３５）
前記基材は、偏光フィルタ、色フィルタ、ＩＲＣＦフィルタ、およびＮＩＲ通過フィルタから成る群より選択される、フィルタの役割を果たす材料から形成される、項目２９に記載の基材埋込型ハイブリッドレンズ光学配列。
（項目３６）
前記基材はさらに、適応光学要素を備える、項目２９に記載の基材埋込型ハイブリッドレンズ光学配列。
（項目３７）
前記レンズ要素のうちの少なくとも２つは、異なるアッベ数を有する材料から形成される、項目２９に記載の基材埋込型ハイブリッドレンズ光学配列。
（項目３８）
項目２９に記載の複数の基材埋込型ハイブリッドレンズ光学配列を備える、アレイであって、前記アレイは、選択された波長帯域を撮像するように設計され、各光学配列内のレンズ表面のうちの少なくとも１つのレンズ表面の外形は、組み合わせて、前記アレイ内の前記複数の配列が、前記選択された波長帯域の全体を撮像するように、前記選択された波長の狭帯域部分のみを光学的に撮像するように適合される、アレイ。
（項目３９）
第１の近位および遠位面を有する、第１のモノリシックレンズであって、前記第１のモノリシックレンズの前記第１の近位面は、凹状または凸状外形のうちのいずれか一方を有し、前記第１のモノリシックレンズの前記第１の遠位面は、平面外形を有する、第１のモノリシックレンズと、
前記第１のモノリシックレンズの前記第１の遠位面の上に配置され、それと光学的に整合している、少なくとも１つの開口と、
第２の近位および遠位面を有する、第２のモノリシックレンズであって、前記第２のモノリシックレンズの前記第２の近位面は、平面外径を有し、前記第２のモノリシックレンズの前記第２の遠位面は、凹状または凸状外形のうちのいずれか一方を有し、前記第２のモノリシックレンズは、前記開口との光学的整合で配列される、第２のモノリシックレンズと、
を備える、少なくとも１つのレンズ要素を備え、
前記第１のモノリシックレンズ要素は、前記開口および前記第２のモノリシックレンズと直接接触している、
アレイカメラ用のモノリシックレンズ光学配列。
（項目４０）
前記少なくとも１つの開口との光学的整合で前記平面上に配置される少なくとも１つのフィルタをさらに備える、項目３９に記載のモノリシック光学配列。
（項目４１）
前記モノリシックレンズは、異なるアッベ数を有する材料から形成される、項目３９に記載のモノリシック光学配列。
（項目４２）
少なくとも２つのレンズ要素をさらに備える、項目３９に記載のモノリシック光学配列。
（項目４３）
項目３９に記載の複数のモノリシック光学配列を備える、アレイであって、前記アレイは、選択された波長帯域を撮像するように設計され、各光学配列内のレンズ表面のうちの少なくとも１つの外形は、組み合わせて、前記アレイ内の前記複数の配列が、前記選択された波長帯域の全体を撮像するように、前記選択された波長の狭帯域部分のみを光学的に撮像するように適合される、アレイ。
（項目４４）
項目３９に記載の複数のモノリシックレンズ光学配列を備える、ウエハスタックであって、
前記配列の要素から形成される複数のウエハ表面と、
各ウエハ表面に関して形成される、少なくとも２つの整合マークであって、前記整合マークのそれぞれは、前記整合マークが、協調的に整合させられたときに、対応する開口との前記レンズ表面の横方向および回転整合を補助するように、隣接ウエハ表面上の整合マークと協働する、整合マークと、
をさらに備える、ウエハスタック。
（項目４５）
第１の凸状近位面および第１の平遠位面を有する、第１のレンズ要素と、
第２の凹状近位面および第２の凸状遠位面を有する、第２のレンズ要素と、
第３の凹状近位面および第３の凸状遠位面を有する、第３のメニスカスレンズ要素と、
第１の平遠位面上に配置される少なくとも１つの開口と、
を備え、前記第１、第２、および第３のレンズ要素は、開口絞りおよび撮像装置との光学的整合で連続的に配列される、
アレイカメラ用の３要素モノリシックレンズ光学配列。
（項目４６）
前記第１および第２のレンズ要素は、低分散材料から形成され、前記第３のレンズ要素は、高分散材料から形成される、項目４５に記載の３要素モノリシック光学配列。
（項目４７）
前記第１のレンズ要素との光学的整合で前記第１の平遠位面上に配置される少なくとも１つのフィルタをさらに備える、項目４５に記載の３要素モノリシック光学配列。
（項目４８）
前記第１のレンズ要素はさらに、その遠位面上に配置される基材を備える、項目４５に記載の３要素モノリシック光学配列。
（項目４９）
前記基材の前記遠位面上に配置される少なくとも１つの開口をさらに備える、項目４８に記載の３要素モノリシック光学配列。
（項目５０）
前記基材の前記遠位面上に配置される少なくとも１つのフィルタをさらに備える、項目４８に記載の３要素モノリシック光学配列。
（項目５１）
前記第２のレンズ要素はさらに、その近位および遠位面の間に配置される基材を備える、項目４５に記載の３要素モノリシック光学配列。
（項目５２）
項目４５に記載の複数の３要素モノリシック光学配列を備える、アレイであって、前記アレイは、選択された波長帯域を撮像するように設計され、各光学配列内のレンズ表面のうちの少なくとも１つの外形は、組み合わせて、前記アレイ内の前記複数の配列が、前記選択された波長帯域の全体を撮像するように、前記選択された波長の狭帯域部分のみを光学的に撮像するように適合される、アレイ。
（項目５３）
複数のレンズ要素アレイから形成されるレンズ要素アレイスタックであって、前記レンズ要素アレイのそれぞれは、相互および対応する撮像装置と光学的に整合している、レンズ要素アレイスタックを備え、
前記レンズ要素スタックのそれぞれの個々のレンズ要素のそれぞれは、高または低アッベ数材料のうちのいずれか一方から形成され、高または低アッベ数材料のうちのいずれか一方が、任意の個別レンズ要素スタックで使用される順序は、それに関係する前記撮像装置によって検出されるスペクトル帯域に依存する、
アレイカメラ用の複数の光学配列。
（項目５４）
複数のレンズ要素アレイから形成されるレンズ要素アレイスタックであって、前記レンズ要素アレイのそれぞれは、複数のレンズ要素で形成される、レンズ要素アレイスタックと、
前記レンズ要素アレイのそれぞれに組み込まれる、複数の構造特徴と、
を備え、前記構造特徴は、少なくとも１つの寸法において、前記レンズ要素アレイスタック内で相互に関して前記レンズ要素アレイの整合を確保する、
アレイカメラ用の複数の光学配列。
（項目５５）
前記構造特徴は、横方向および回転整合特徴、スペーサ、およびスタンドオフから成る群より選択される、項目５４に記載の複数の光学配列。
（項目５６）
複数の光学チャネルを有するアレイにおいて系統的加工誤差を補償する方法であって、
前記アレイの前記光学チャネルのチャネル方向の色収差補正のみに使用される、波長板または多重レベル回折相要素のうちのいずれか一方の公称形状を組み込む、設計を準備するステップと、
前記設計に基づいてアレイレンズモジュールを加工するステップと、
レンズの計量、中心化、距離、および光学性能から成る群より選択される少なくとも１つのパラメータに基づいて、前記設計からの前記レンズモジュールの系統的偏差を実験的に判定するステップと、
実験の結果に基づいて、前記レンズモジュールのチャネル方向の色収差補正面のみを再設計するステップと、
前記再設計に基づいて、前記レンズモジュールを再加工するステップと、
前記レンズモジュールの背面焦点距離を使用して、残っている前記系統的偏差のうちのいずれかを補償するステップと、
を含む、方法。
（項目５７）
複数の光学チャネルを備える、光学配列であって、各光学チャネルは、少なくとも２つの光学面を備える、少なくとも１つの光学要素を含み、前記複数の光学チャネルのそれぞれの前記光学面のうちの１つは、前記光学チャネルを選択された光の波長に適合させるだけに十分な波面変形を有する、チャネル特有の表面である、光学配列。
（項目５８）
前記チャネル特有の表面は、波長板、キノフォーム、および放射対称多重レベル回折相要素から成る群より選択される、項目５７に記載の光学配列。